(57)【要約】  コンテンツの切り替え時に視聴者の明るさの感じ方が大きく変化することを防ぐ技術を提供する。映像表示装置（１）は、表示映像に係る映像特徴量を算出する算出部（２３）と、第１の表示映像の後にミュート映像を表示するミュート映像表示部と、を備え前記ミュート映像の輝度は、前記第１の表示映像に係る映像特徴量の値に応じた輝度である。
2018003643.tif 000002
【特許請求の範囲】
【請求項１】
表示映像に係る映像特徴量を算出する算出部と、
第１の表示映像の後にミュート映像を表示するミュート映像表示部と、
を備え
前記ミュート映像の輝度は、前記第１の表示映像に係る映像特徴量の値に応じた輝度であることを特徴とする映像表示装置。
【請求項２】
前記ミュート映像表示部は、第２の表示映像の前に前記ミュート映像を表示し、
前記映像表示装置は、前記表示映像に係るメタ情報から、前記第２の表示映像に係る映像特徴量を取得する取得部を備え、
前記ミュート映像の輝度は、前記第１の表示映像及び前記第２の表示映像に係る映像特徴量の値に応じた輝度であることを特徴とする請求項１に記載の映像表示装置。
【請求項３】
前記算出部は、前記表示映像のうち、所定の期間内の映像特徴量を算出し、
前記ミュート映像の輝度は、前記第１の表示映像の所定期間内の映像特徴量の値及び前記第２の表示映像の所定期間内の映像特徴量の値に応じた輝度であることを特徴とする請求項２に記載の映像表示装置。
【請求項４】
前記映像特徴量は、感覚輝度値であることを特徴とする請求項１から３の何れか１項に記載の映像表示装置。
【請求項５】
前記算出部は、前記感覚輝度値を、前記表示映像の平均輝度、最大輝度、輝度値の中央値、及びＭＡＸＦＡＬＬの少なくとも何れかを参照して算出することを特徴とする請求項４に記載の映像表示装置。
【請求項６】
前記算出部は、前記表示映像のうち、
平均輝度が第１の閾値以下の画面と、
平均輝度が第２の閾値以上の画面と、
のうち少なくともいずれか一方を除外して、前記感覚輝度値を算出することを特徴とする請求項４または５に記載の映像表示装置。
【請求項７】
表示映像に係るメタ情報から、１又は複数のコンテンツの映像特徴量を取得する取得部と、
第１の表示映像の後であって第２の表示映像の前にミュート映像を表示するミュート映像表示部と、
を備え、
前記ミュート映像の輝度は、前記第１の表示映像に係る映像特徴量の値及び前記第２の表示映像に係る映像特徴量の値に応じた輝度であることを特徴とする映像表示装置。
【請求項８】
前記取得部は、前記第１の表示映像の所定期間内の映像特徴量、及び前記第２の表示映像の所定期間内の映像特徴量を取得し、
前記ミュート映像の輝度は、前記第１の表示映像の所定期間内の映像特徴量の値及び前記第２の表示映像の所定期間内の映像特徴量の値に応じた輝度である
ことを特徴とする請求項７に記載の映像表示装置。
【請求項９】
前記取得部は、１又は複数のコンテンツの映像特徴量を前記表示映像に係るメタ情報であるＭＭＴパッケージテーブルに含まれる映像コンポーネント記述子から取得することを特徴とする請求項７または８に記載の映像表示装置。
【請求項１０】
前記取得部は、１又は複数のコンテンツの映像特徴量を前記表示映像に係るメタ情報であるイベント情報テーブルから取得することを特徴とする請求項７または８に記載の映像表示装置。
【請求項１１】
請求項１から１０に記載の映像表示装置を備えていることを特徴とするテレビジョン受像機。
【請求項１２】
１又は複数のコンテンツの映像データと、前記１又は複数のコンテンツの感覚輝度値を示す感覚輝度情報とを送信する送信部を備えていることを特徴とする送信装置。
【請求項１３】
前記送信部は、前記感覚輝度情報を、ＭＭＴパッケージテーブルに含まれる映像コンポーネント記述子に含めて送信することを特徴とする請求項１２に記載の送信装置。
【請求項１４】
前記送信部は、前記感覚輝度情報を、イベント情報テーブルに含めて送信することを特徴とする請求項１２に記載の送信装置。
【請求項１５】
請求項１から６に記載の映像表示装置としてコンピュータを機能させるためのミュート映像表示プログラムであって、前記算出部及び前記ミュート映像表示部としてコンピュータを機能させるための制御プログラム。
【請求項１６】
請求項７から１０に記載の映像表示装置としてコンピュータを機能させるためのミュート映像表示プログラムであって、前記ミュート映像表示部としてコンピュータを機能させるための制御プログラム。
【請求項１７】
請求項１５または１６に記載の制御プログラムを記録したコンピュータ読み取り可能な記録媒体。
【発明の詳細な説明】
【技術分野】
【０００１】
本発明は、映像表示装置、テレビジョン受像機、送信装置、制御プログラム及び記録媒体に関する。
【背景技術】
【０００２】
音声に関する技術では、人が感じる音の大きさであるラウドネスを用いて、コンテンツ毎の音の大きさに対する視聴者の感じ方を均一化する技術が知られている。また、映像に関する技術では、ＨＤＲ等の高輝度の表示が可能となり、コンテンツ毎で視聴者による明るさの感じ方が大きく変わる機会が多くなってきている。
【先行技術文献】
【特許文献】
【０００３】
【特許文献１】日本国公開特許公報「特開２００９−２７５５０号公報（２００９年２月５日公開）」
【発明の概要】
【発明が解決しようとする課題】
【０００４】
コンテンツ毎で視聴者による明るさの感じ方が大きく変化すると、視聴者の心理的負担が大きくなる場合がある。例えば、映像が表示出来ないタイミングであるチャンネル切り替え時またはコンテンツ切り替え時において、通常、黒画面を表示する。しかし、ＳＤＲに比べて、ＨＤＲは輝度の変動幅が大きいことから、切り替え前のコンテンツの輝度が高い場合、黒画面を表示すると、輝度差が大きく、視聴者が違和感を持つことがある。【０００５】
本発明は、上記の問題点に鑑みてなされたものであり、その目的は、コンテンツの切り替え時に視聴者の明るさの感じ方が大きく変化することを防ぐ技術を提供することである。
【課題を解決するための手段】
【０００６】
上記の課題を解決するために、本発明の一態様に係る映像処理装置は、映像信号の映像特徴量を算出する算出部と、上記映像信号の示す表示映像に挿入されるミュート映像を生成するミュート映像生成部と、を備え、上記ミュート映像生成部は、上記ミュート映像の輝度を、上記ミュート映像よりも時間的に前に表示される表示映像を表す映像信号の映像特徴量に応じた値となるように設定する。
【発明の効果】
【０００７】
本発明の一態様によれば、コンテンツの切り替え時に視聴者の明るさの感じ方が大きく変わることがなくなり、視聴者の無用な心理的負担を軽減することができる。
【図面の簡単な説明】
【０００８】
【図１】本発明の実施形態１、２及び６に係る表示装置の構成を示すブロック図である。
【図２】本発明の実施形態に係るテレビジョン受像機の外観を示す図である。
【図３】本発明の実施形態１に係るミュート映像生成方法を説明するフローチャートである。
【図４】ミュート映像の輝度値の変化を示す図であり、（ａ）及び（ｃ）は、従来の表示装置における輝度値を示し、（ｂ）及び（ｄ）は、本発明の実施形態１に係る表示装置における輝度値を示している。
【図５】表示映像の輝度値の経時変化を示すグラフであり、（ａ）及び（ｂ）は、次コンテンツがない場合の輝度値の経時変化を示し、（ｃ）及び（ｄ）は、次コンテンツがある場合の輝度値の経時変化を示している。
【図６】ＭａｘＦＡＬＬを算出するための疑似コードの一例である。
【図７−１】本発明の実施形態１における感覚輝度値を算出するための疑似コードの一例である。
【図７−２】本発明の実施形態１における感覚輝度値を算出するための疑似コードの一例である。
【図８】本発明の実施形態１に係る感覚輝度値の算出方法の一例を説明するための図であり、（ａ）及び（ｂ）は、所定範囲の輝度値を除外する前の図であり、（ｃ）及び（ｄ）は、所定範囲の輝度値を除外した後の図である。
【図９】表示映像の輝度値の経時変化を示すグラフであり、（ａ）及び（ｂ）は、次コンテンツがない場合の輝度値の経時変化を示し、（ｃ）及び（ｄ）は、次コンテンツがある場合の輝度値の経時変化を示している。
【図１０】本発明の実施形態３、４及び５に係る映像処理装置を備えた表示装置の構成を示すブロック図である。
【図１１】表示映像の輝度値の経時変化を示すグラフであり、（ａ）は、従来の表示装置の輝度値の経時変化を示し、（ｂ）は、本発明の実施形態３に係る表示装置の輝度値の経時変化を示している。
【図１２】本発明の実施形態３、４、５、６及び７に係る送信装置の構成を示すブロック図である。
【図１３】メタ情報生成部によって生成されるVideo_Component_Desciptorの一例を示す図である。
【図１４】表示映像の輝度値の経時変化を示すグラフであり、（ａ）は、従来の表示装置を示し、（ｂ）は、本発明の実施形態４に係る表示装置を示している。
【図１５】表示映像の輝度値の経時変化を示すグラフであり、（ａ）は、従来の表示装置を示し、（ｂ）は、本発明の実施形態５に係る表示装置を示している。
【図１６】本発明の実施形態７に係る映像処理装置を備えた表示装置の構成を示すブロック図である。
【図１７】メタ情報生成部によって生成されるＥＩＴの一例を示す図である。（ａ）は、ＥＩＴの一例を示す図であり、（ｂ）は、（ａ）に示す記述子Ｄ１の他の一例を示す図であり、（ｃ）は、電子番組表（ＥＰＧ）の一例を示す図である。
【図１８】表示映像の色度の経時変化を示すグラフであり、（ａ）は従来の映像処理装置における色度の経時変化を示すグラフであり、（ｂ）、（ｃ）及び（ｄ）は、本実施形態に係る映像処理装置における色度の経時変化の一例を示すグラフである。
【発明を実施するための形態】
【０００９】
以下、本発明の実施形態について、詳細に説明する。ただし、本実施形態に記載されている構成は、特に特定的な記載がない限り、この発明の範囲をそれのみに限定する趣旨ではなく、単なる説明例にすぎない。
【００１０】
本発明の各実施形態に係る映像処理装置は、映像信号の映像特徴量を算出する算出部と、映像信号の示す表示映像に挿入されるミュート映像を生成するミュート映像生成部と、を備え、ミュート映像生成部は、ミュート映像の輝度を、ミュート映像よりも時間的に前に表示される表示映像を表す映像信号の映像特徴量に応じた値となるように設定する。
【００１１】
ここで、映像特徴量とは、映像の感覚的な明るさを示す指標である。映像特徴量の例として、感覚輝度値等を挙げることができる。感覚輝度値とは、映像信号における輝度値から算出される指標である。感覚輝度値の例として、平均輝度値、最大輝度値、輝度値ヒストグラムの中央値、および、ＭａｘＦＡＬＬ（Ｍａｘｉｍｕｍ  Ｆｒａｍｅ  Ａｖｅｒａｇｅ  Ｌｉｇｈｔ  Ｌｅｖｅｌ）及びそれらの組み合わせ等を挙げることができる。なお、映像特徴量は、感覚輝度値のように映像信号における輝度値から算出される指標のみではなく、映像信号における色度から算出される指標も含む。
【００１２】
本明細書において、「ミュート映像」とは、２つの異なるコンテンツの間またはコンテンツにおけるシーン切り替え等のタイミングにおいて、表示映像に挿入される映像データ、又は当該映像データによって表される画像のことを指す。
【００１３】
〔実施形態１〕
（表示装置）
本実施形態１に係る映像処理装置２０を備えた表示装置１について、図１及び図２を参照して説明する。図１は、本実施形態に係る映像処理装置２０を備えた表示装置１の構成を示すブロック図である。また、図２は、表示装置１の外観を示す正面図である。図１が示すように、表示装置１は、表示パネル１０、受信部１１及び映像処理装置２０を備えている。また、表示装置１は、チューナーを備える構成とし、テレビジョン受像機として実現されてもよい。なお、表示装置は、映像表示装置と呼称してもよい。
【００１４】
（映像処理装置）
映像処理装置２０は、受信部１１が受信した映像信号を復号することにより映像を構成する複数のフレームを順次出力する装置であり、映像制御部２１、操作受付部２６及びパネル制御部２７を備えている。
【００１５】
ここで、受信部１１が受信する映像信号は、ＨＤＭＩ（登録商標）（High-Definition Multimedia Interface：高精細度マルチメディアインターフェース）規格に基づくＨＤＭＩ信号、Ｔｕｎｅｒ信号（チューナーによって受信した信号）及びＣＶＢＳ（Composite Video, Blanking, and Sync：コンポジット映像信号）信号等のＨＤＲ信号であり得る。
【００１６】
（映像制御部）
映像制御部２１には、映像信号取得部（取得部）２２、算出部２３、ミュート映像生成部２４及びミュート映像挿入部２５が含まれる。
【００１７】
取得部２２は、受信部１１が受信した映像信号を取得する。取得部２２は、取得した映像信号のうち、映像信号に含まれる映像データをミュート映像挿入部２５及び算出部２３へ出力する。
【００１８】
算出部２３は、入力された映像データを参照して、映像データに含まれる各コンテンツ（番組及びＣＭ）における映像特徴量を算出する。換言すれば、算出部２３は、表示映像に係る映像特徴量を算出する。映像特徴量の算出例については後述する。
【００１９】
算出部２３は、取得部２２が取得した映像信号に含まれる複数のフレームにおいて、フレーム毎の平均輝度値である第２の平均輝度値をそれぞれ算出し、当該複数のフレームについて当該第２の平均輝度値を平均することにより、第１の平均輝度値を算出し、当該第１の平均輝度値を映像特徴量としてもよい。なお、算出部２３は、第２の平均輝度値を算出する際に、後述するように、所定値以上の輝度値を除外したアクティブ画像領域において、第２の平均輝度値を算出してもよい。
【００２０】
算出部２３は、算出された映像特徴量をミュート映像生成部２４に出力する。なお、映像特徴量の具体的説明は後述する。
【００２１】
ミュート映像生成部２４は、入力された映像特徴量に応じた値となるように、ミュート映像の輝度値を設定し、当該輝度値を有するミュート映像を生成する。またミュート映像生成部２４は、操作受付部２６より表示映像を停止する操作を受け付けた際に、停止した表示映像の映像特徴量に応じた値となるように、ミュート映像の輝度値を設定し、当該輝度値を有するミュート映像を生成する。例えば、ミュート映像生成部２４は、
（１）ミュート映像の輝度と、
（２）ミュート映像よりも時間的に前に表示される表示映像を表す映像データの感覚輝度値と、
の差異が所定の範囲内となるように、ミュート映像の輝度を設定する。ここで、「ミュート映像よりも時間的に前に」とは、例えばミュート映像の直前のことである。
【００２２】
なお、本明細書において、「ミュート映像よりも時間的に前に表示される表示映像」のことを、「第１の表示映像」とも呼称する。ここで、「第１の表示映像の後に」とは、例えば第１の表示映像の直後のことであるがこれに限定されるものではない。また、「ミュート映像よりも後に表示される表示映像」のことを、「第２の表示映像」とも呼称する。また、「第１の」及び「第２の」を付けずに用いられる「表示映像」との表現は、上述の第１の表示映像及び第２の表示映像の少なくとも何れかを含むものとして用いられることがある。
【００２３】
また、「所定の範囲内となるように」とは、
ミュート映像の輝度値＝映像データの感覚輝度値
となる場合も含まれるし、
｜ミュート映像の輝度値−感覚輝度値｜／感覚輝度値  ≦  Ａ（例えばＡ＝０．１）と表される場合も含まれる（ここで、表記｜Ｘ｜は、Ｘの絶対値を示す）。また、所定の映像データの範囲は適宜設定することもできる。また、所定の範囲には、丸め込み等に起因した計算誤差に伴う値の変動も含まれる。
【００２４】
ミュート映像生成部２４は、生成されたミュート映像をミュート映像挿入部２５に出力する。
【００２５】
ミュート映像挿入部２５は、取得部２２から入力された映像データとミュート映像生成部２４から入力されたミュート映像とを用いて、映像データにミュート映像を挿入する。ミュート映像を挿入する映像データ上での時間的位置は、例えば、２つの異なるコンテンツの間であってもよいし、あるコンテンツにおけるシーン切り替えのタイミングであってもよいし、その他のタイミングであってもよい。またミュート映像挿入部２５は、操作受付部２６より表示映像を停止する操作を受け付けた際に、停止した映像の後にミュート映像を挿入する。またミュート映像挿入部２５は、ミュート映像が挿入された映像データをパネル制御部２７へ出力する。
【００２６】
（その他の部材）
操作受付部２６は、ユーザによる操作を受け付ける。操作受付部２６が受け付ける操作の一例として、映像の表示を開始する操作、及び表示映像を停止する操作等が挙げられる。
【００２７】
パネル制御部２７は、ミュート映像挿入部２５から入力された映像データをトーンマッピングすることにより、映像データを適切な輝度で表示パネル１０において表示できるようにする。トーンマッピングとは、映像信号に含まれる輝度情報を、表示パネル１０で表現できるどの輝度に割り振るかを決定するものである。
【００２８】
表示パネル１０は、映像の表示が可能な表示装置であればどのような装置によって実現されてもよいが、具体的な例としては、液晶ディスプレイ、有機ＥＬ（Electro Luminescence）ディスプレイ、及びプラズマディスプレイ等が挙げられる。
【００２９】
なお、表示パネル１０及びパネル制御部２７をまとめて表示部とも呼称する。表示部は、ミュート映像挿入部２５においてミュート映像が挿入された表示映像を表示するので、ミュート映像表示部と呼称してもよい。
【００３０】
（ミュート映像生成処理）
本実施形態に係る映像処理装置２０により実行されるミュート映像生成処理の流れを、図３を参照して説明する。図３は、ミュート映像生成処理の流れを示すフローチャートである。
【００３１】
本実施形態に係る映像処理装置２０は、以下に説明するステップＳ０〜Ｓ４を実行することによって、輝度値を設定したミュート映像を生成する。
【００３２】
まず、取得部２２は、映像信号を取得する（ステップＳ０）。取得部２２は、取得した映像信号のうち、映像データをミュート映像挿入部２５及び算出部２３へ出力する。
【００３３】
次に、算出部２３は、取得部２２から入力された映像データより、映像データに含まれる各コンテンツに対応する映像特徴量を特定する（ステップＳ１）。
【００３４】
次に、ミュート映像生成部２４は、算出部２３から映像特徴量を取得し、取得した映像特徴量に応じた値となるように、ミュート映像の輝度値を設定し、当該輝度値を有するミュート映像を生成する（ステップＳ２）。また、ステップＳ２では、ミュート映像生成部２４は、操作受付部２６より表示映像を停止する操作を受け付けた際に、停止した表示映像の映像特徴量に応じた値となるように、ミュート映像の輝度値を設定し、当該輝度値を有するミュート映像を生成する。
【００３５】
次に、ミュート映像挿入部２５は、取得部２２から入力された映像データとミュート映像生成部２４から入力されたミュート映像とを用いて、映像データにミュート映像を挿入する（ステップＳ３）。
【００３６】
次に、パネル制御部２７は、ミュート映像挿入部２５から入力された映像データをトーンマッピングすることにより、映像データを適切な輝度で表示パネル１０において表示できるようにする。これにより、映像データが表示パネル１０に表示される（ステップＳ４）。
【００３７】
以上のように、本実施形態に係るミュート映像生成処理では、ミュート映像の輝度値の値を、ミュート映像よりも時間的に前に表示される映像データの感覚輝度値に応じた値とするため、ミュート映像とミュート映像の前に表示される映像データとの輝度値の差異を低減することができ、輝度差によるユーザへの心理的負担を軽減することができる。
【００３８】
次に、図４及び５を参照して、本実施形態に係る輝度値を設定したミュート映像生成処理の一例についてより具体的に説明する。
【００３９】
図４の（ａ）及び（ｃ）では、ミュート映像の輝度値が０ｎｉｔであり、ミュート映像とミュート映像の前後のコンテンツとの輝度値の差異が大きい。ミュート映像生成部２４は、図４の（ｂ）及び（ｄ）に示すように、ミュート映像とミュート映像よりも時間的に前に表示されるコンテンツとの輝度値の差異が所定の範囲内となるように、ミュート映像の輝度値を設定する。その結果、図４の（ｂ）及び（ｄ）に示すように、図４の（ａ）及び（ｃ）と比較して、コンテンツの切り替え時におけるミュート映像とミュート映像の前後のコンテンツとの輝度値の差異が低減される。
【００４０】
図５は、表示映像（コンテンツ及びミュート映像）の輝度値の経時変化を示している。図５の（ａ）及び（ｃ）は、従来の映像処理装置における輝度値の経時変化を示しており、図５（ａ）は、表示映像を停止した場合を示し、図５（ｃ）は、各コンテンツ間にミュート映像を挿入した場合を示している。図５の（ｂ）及び（ｄ）は、本実施形態に係る映像処理装置における輝度値の経時変化を示しており、図５（ｂ）は、表示映像を停止した場合を示し、図５（ｄ）は、各コンテンツ間にミュート映像を挿入した場合を示している。図５の（ａ）及び（ｃ）に示すように、従来の映像処理装置では、ミュート映像とミュート映像の前後のコンテンツとの輝度値の差異が大きくなる。一方、図５の（ｂ）及び（ｄ）に示すように、本実施形態に係る映像処理装置２０では、ミュート画像生成部２４は、
（１−１）ミュート映像の輝度と、
（１−２）ミュート映像よりも時間的に前に表示される表示映像（第１の表示映像）を表す映像データの感覚輝度値と、
の差異が所定の範囲となるように、ミュート映像の輝度値を設定する。その結果、図５の（ｂ）及び（ｄ）では、図５の（ａ）及び（ｃ）と比較して、ミュート映像とミュート映像の前後のコンテンツとの輝度値の差異が低減する。
【００４１】
このように、本実施形態に係る映像処理装置２０では、ミュート映像の輝度値を、ミュート映像よりも時間的に前に表示される映像データの感覚輝度値に対して所定の範囲の値とするため、ミュート映像とミュート映像の前に表示される映像データとの輝度値の差異を低減することができ、輝度差によるユーザへの心理的負担を軽減することができる。
【００４２】
（映像特徴量の算出例）
以下では、図６及び７を参照して、算出部２３による映像特徴量の算出例について説明する。
【００４３】
本明細書において、映像特徴量とは、対象となる映像の明るさに関連した特徴量のことを指す。映像特徴量の一例として、以下に具体的に説明する感覚輝度値（CPL: Contents Perceptual Luminance）を挙げることができる。なお、以下の説明はあくまで感覚輝度値の算出の例であり、これによって本願明細書の記載を限定しようとするものではない。
【００４４】
（例１：ＭａｘＦＡＬＬを用いる算出方法）
本例では、算出部２３は、取得した映像データから最大フレーム平均輝度ＭａｘＦＡＬＬ（Maximum Frame Average Light Level）を算出し、算出したＭａｘＦＡＬＬを感覚輝度値として設定する。ここで、ＭａｘＦＡＬＬとは、映像を構成する全フレーム中の平均輝度の最大値であり、CEA861．3によってアルゴリズムは規定されている。図６に、ＭａｘＦＡＬＬを算出するための疑似コードを示す。
【００４５】
図６に示すように、算出部２３は、あるフレームにおけるアクティブ画像領域（activeimage area）に含まれる１画素毎に、非線形画素値である（Ｒ’，Ｇ’，Ｂ’）を、ｃｄ／ｍ2（カンデラ毎平方メートル）を単位とする線形輝度値である（Ｒ，Ｇ，Ｂ）に変換する。そして（Ｒ，Ｇ，Ｂ）のうちの最大値を、当該画素における最大輝度値maxRGBとして設定する。
【００４６】
そして、算出部２３は、アクティブ画像領域に含まれる全ての画素の最大輝度値maxRGBの平均を当該フレームにおける平均輝度flameAverageLightLevelとして設定する。
【００４７】
さらに、算出部２３は、映像シーケンスに含まれる全てのフレームのうち、最大の平均輝度flameAverageLightLevelをMaxFALLに設定し、このMaxFALLを、対象映像の感覚輝度値に設定する。
【００４８】
なお、アクティブ画像領域とは、例えば、後述するように、対象のフレームから所定の輝度値以上の領域を除外することによって得られる領域のことを指すが、これに限定されるものではなく、適宜設定することもできる。
【００４９】
（例２：黒画面及び白画面を除外する方法）
映像シーケンスに含まれる全てのフレームの中に、白画面（平均輝度が閾値Wt（Bk＜Wt）以上の画面）を有するフレームが含まれている場合、MaxFALLの値が非常に大きい値となるため、算出部２３において算出する映像特徴量が、当該映像シーケンス全体の特徴として適していないことがある。
【００５０】
本例では、算出部２３は、黒画面（平均輝度が閾値Bk以下の画面）、及び白画面（平均輝度が閾値Wt（Bk＜Wt）以上の画面）のうち少なくともいずれか一方を除外することにより、感覚輝度値を算出する。感覚輝度値の算出に本例を用いることによってより好適な感覚輝度値を算出することができる。
【００５１】
図７に、算出部２３が本例に係る感覚輝度値を算出するための疑似コードを示す。図７に示すように、算出部２３は、取得した映像データに含まれるあるフレームにおけるアクティブ画像領域（active image area）に含まれる１画素毎に、当該ピクセルの線形輝度値Ｙ（linear luminance value Y）を算出する。線形輝度値Ｙの算出は、図７の点線枠内に示した疑似コードによって行う。より具体的には、算出部２３は、当該画素における赤緑青の各色に関する画素値（Ｒｉｎ，Ｇｉｎ，Ｂｉｎ）に対してＥＯＴＦ（Electro-Optical Transfer Function）変換を適用することにより、赤緑青の各色に関する輝度値（Ｒ，Ｇ，Ｂ）を算出し、更に、これら各色に関する輝度値（Ｒ，Ｇ，Ｂ）の全てを参照することによって、輝度値Ｙを算出する。より具体的には、
Y = 0.2627R + 0.6780G + 0.0593B
によって輝度値Ｙを算出する。
【００５２】
そして、算出部２３は、映像データにおける各フレームに含まれる各画素の輝度値Ｙを参照することによって対象映像の感覚輝度値を算出する。
【００５３】
より具体的には、算出部２３は、図７に示すように、アクティブ画像領域に含まれる全ての画素の輝度値Ｙの平均を当該フレームにおける平均輝度flameAverageLuminanceとして設定する。
【００５４】
更に、算出部２３は、図７に示すように、映像シーケンスに含まれる全てのフレームのうち、黒画面（平均輝度が閾値Bk以下の画面）、及び白画面（平均輝度が閾値Wt（Bk＜Wt）以上の画面）のうち少なくともいずれか一方を除外したうえで、平均輝度flameAverageLuminanceの平均を取ることにより、対象映像の感覚輝度値を算出する。なお、閾値Ｂｋ（第１の閾値）及びＷｔ（第２の閾値）の具体的値は本実施形態を限定するものではないが、例えばＢｋ＝５０、Ｗｔ＝２０００などとすればよい。
【００５５】
（アクティブ画像領域）
以下では、上記の説明に登場したアクティブ画像領域についてより具体的に説明する。
【００５６】
算出部２３は、１フレームあたりのフレーム輝度値を算出する際、所定の閾値以上の輝度を有する領域を除外して、当該フレーム輝度値を算出することが好ましい。ここで、所定の閾値以上の輝度を有する領域を除外した画像領域をアクティブ画像領域と称する。
【００５７】
アクティブ画像領域の一例として、表示パネルの表示可能最大輝度が１０００ｎｉｔであり、所定の閾値を２００ｎｉｔとした場合の算出部２３の処理について図８を参照して説明する。
【００５８】
図８の（ａ）及び（ｂ）に示す例では、ラインＬ１に沿った輝度において、２００ｎｉｔを超える輝度が存在する。算出部２３は、図８の（ａ）に示すラインＬ１に沿って輝度の平均を算出しようとする場合、所定の輝度である２００ｎｉｔ以上の高輝度領域については、当該領域の輝度値を用いることなく、フレーム輝度値を算出する。
【００５９】
より具体的には、算出部２３は、図８（ｃ）に示すように、所定の閾値以上の輝度を有する領域を除外領域とし、図８（ｄ）に示すように、当該除外領域に含まれる輝度をフレーム輝度値の算出に用いない。換言すれば、算出部２３は、除外領域以外の領域に含まれる輝度を参照して、フレーム輝度値を算出する。
【００６０】
〔実施形態２〕
本実施形態２に係る映像処理装置２０を備えた表示装置１について、図９を参照して以下に説明する。以下の説明では、上記実施形態において既に説明した事項については説明を省略し、上記実施形態とは異なる点について説明を行う。
【００６１】
本実施形態に係る表示装置１は、表示装置１が備えるミュート画像生成部２４に代えて、ミュート画像生成部２４ａを備えている。
【００６２】
図９は、表示映像の輝度値の経時変化を示している。図９の（ａ）及び（ｃ）は、従来の映像処理装置における輝度値の経時変化を示しており、図９（ａ）は、表示映像を停止した場合を示し、図９（ｃ）は、各コンテンツ間にミュート映像を挿入した場合を示している。図９の（ｂ）及び（ｄ）は、本実施形態に係る映像処理装置２０における輝度値の経時変化を示しており、図９（ｂ）は、表示映像を停止した場合を示し、図９（ｄ）は、各コンテンツ間にミュート映像を挿入した場合を示している。図９の（ｂ）及び（ｄ）に示すように、本実施形態に係る映像処理装置２０は、ミュート映像の輝度値を徐々に低下させる構成となる。
【００６３】
ここで、本明細書において、輝度値を徐々に低下とは、
・輝度値を段階的に低下させること
・輝度値を線形的又は非線形的に低下させること
を含む。また、本実施形態において、輝度値を低下させる割合は、ミュート映像の表示時間の長さや低下させるべき輝度値等に応じて適宜設定することができる。
【００６４】
より具体的には、本実施形態に係るミュート画像生成部２４ａは、
（２−１）ミュート映像の輝度と、
（２−２）ミュート映像よりも時間的に前に表示される表示映像（第１の表示映像）を表す映像データの感覚輝度値と、
の差異が所定の範囲となるように、ミュート映像の輝度の初期値を設定し、当該ミュート映像の輝度の初期値より、時系列に沿って低下するように、ミュート映像の輝度値を設定する。その結果、図９の（ｂ）及び（ｄ）では、ミュート映像の輝度値が徐々に低下する構成となっており、輝度値の急激な変動を抑制する。これにより、輝度差によるユーザへの心理的負担を軽減することができる。
【００６５】
なお、輝度値を低下させる低下率は、本実施形態を限定するものではなく、適宜設定することができる。
【００６６】
〔実施形態３〕
本実施形態３に係る映像処理装置２０を備えた表示装置１について、図１０及び１１を参照して以下に説明する。以下の説明では、上記実施形態において既に説明した事項については説明を省略し、上記実施形態とは異なる点について説明を行う。
【００６７】
本実施形態に係る表示装置１は、表示装置１が備える受信部１１、取得部２２及びミュート映像生成部２４に代えて、受信部１１ｂ、取得部２２ｂ及びミュート映像生成部２４ｂを備えている。
【００６８】
本実施形態では、送信装置３０において、発信される映像信号に各コンテンツの輝度情報等のメタ情報が埋め込まれる。より具体的には、送信装置３０により、あるコンテンツのメタ情報に、当該あるコンテンツの輝度情報に加え、当該あるコンテンツよりも後に表示されるコンテンツの輝度情報が埋め込まれる。換言すれば、現時点のコンテンツのメタ情報に、現時点のコンテンツの輝度情報と次コンテンツの輝度情報とが埋め込まれる。なお、「現時点のコンテンツ」とは、ミュート映像より時間的に前に表示される表示映像（第１の表示映像）に対応するものであり、「次コンテンツ」とは、ミュート映像よりも後に表示される表示映像（第２の表示映像）に対応するものである。送信装置３０の具体的説明は後述する。
【００６９】
上述した輝度情報には、平均輝度、最大輝度、輝度値の中央値、ＭＡＸＦＡＬＬ及びそれらから算出された次コンテンツ全体の感覚輝度値が含まれる。また、上述した輝度情報には、さらに、
・現時点のコンテンツ全体の感覚輝度値
・現時点のコンテンツの最後の所定の期間内の感覚輝度値
・次コンテンツの先頭の所定の期間内の感覚輝度値
の少なくとも何れかを含む構成としてもよい。ここで、「所定の期間」とは、特に限定されておらず、例えば、１分、２分または３分のように、適宜選択することができる。また、映像信号に含まれるコンテンツに応じて所定の期間を設定してもよい。
【００７０】
なお、輝度値の中央値としては、１フレームあたりの輝度値の中央値を複数フレームに亘って平均した平均中央値、または１フレームあたりの平均輝度値に基づく、複数フレームに亘るヒストグラムの中央値、の何れであってもよい。
【００７１】
受信部１１ｂは、上述した映像信号を受信し、取得部２２ｂへ出力する。
【００７２】
取得部２２ｂは、図１０に示すように、受信部１１から映像信号を取得し、現時点のコンテンツの映像データをミュート映像挿入部２５及び算出部２３に出力し、次コンテンツの映像特徴量をミュート映像生成部２４ｂに出力する。
【００７３】
本実施形態に係るミュート映像生成部２４ｂは、
（３−１）算出部２３から入力された現時点のコンテンツの映像特徴量と、
（３−２）取得部２２から入力された次コンテンツの映像特徴量と、
に応じた値になるように、ミュート映像の輝度値として設定し、ミュート映像を生成する。換言すれば、ミュート映像の輝度値は、第１の表示映像及び第２の表示映像に係る映像特徴量に応じた輝度である。例えば、ミュート映像生成部２４ｂは、上記（３−１）と上記（３−２）との平均値をミュート映像の輝度値として設定する。
【００７４】
ここで、図１１を参照して、本実施形態に係る映像処理装置２０の表示映像の輝度値の経時変化について説明する。なお、図１１（ａ）は、従来の映像処理装置における輝度値の経時変化を示しており、図１１（ｂ）は、本実施形態に係る映像処理装置２０における輝度値の経時変化を示している。図１１（ｂ）に示すように、本実施形態に係る映像処理装置２０では、ミュート映像の前後のコンテンツの輝度値の平均値をミュート映像の輝度値に設定するので、ミュート映像とミュート映像の前後のコンテンツとの輝度値の差異が低減される。
【００７５】
このように、本実施形態に係る映像処理装置２０では、ミュート映像とミュート映像の前に表示される映像データとの輝度値の差異を低減するだけでなく、ミュート映像とミュート映像の後に表示される映像データとの輝度値の際を低減することができる。これにより、輝度差によるユーザへの心理的負担を軽減することができる。
【００７６】
（送信装置）
本実施形態に係る送信装置３０について、図１２を参照して以下に説明する。図１２は、本実施形態に係る送信装置３０の構成を示すブロック図である。図１２が示すように、送信装置３０は、メタ情報生成部３１、エンコーダ３２及び送信部３３を備えている。送信装置３０の外部の構成として、例えばカメラ４０が挙げられる。カメラ４０は映像を撮影し、撮影した映像の映像信号を送信装置３０へ出力する。送信装置３０は、入力された映像信号をメタ情報生成部３１及びエンコーダ３２において取得する。
【００７７】
メタ情報生成部３１は、取得した映像信号に基づきメタ情報を生成し、送信部３３へ出力する。
【００７８】
エンコーダ３２は、取得した映像信号を符号化し、映像データを生成する。エンコーダ３２は、生成した映像データを送信部３３へ出力する。送信部３３は、
（３−３）メタ情報生成部３１から入力されたメタ情報と、
（３−４）エンコーダ３２から入力された映像データと、
を送信用映像信号に含ませて送信する。
【００７９】
なお、映像信号は、放送波によって伝送されてもよいし、インターネット等のネットワークを介して伝送されてもよい。また、メタ情報を第１の伝送路経由で伝送し、映像データを第２の伝送路を介して伝送する構成としてもよい。ここで第１の伝送路をインターネットなどのネットワークとし、第２の伝送路を放送波としてもよいし、第１の伝送路を放送波とし、第２の伝送路をインターネットなどのネットワークとしてもよい。又はそれ以外の組み合わせであってもよく、特に限定されない。
【００８０】
本実施形態に係る送信装置３０の感覚輝度情報の送信態様の一例について、図１３を参照して以下に説明する。
【００８１】
本例では、メタ情報生成部３１は、感覚輝度情報を含む映像コンポーネント記述子Video_Component_Descriptorを生成し、送信部３３は、当該Video_Component_Descriptorを、例えば映像信号の一部として送信する。ここで、高度ＢＳデジタル放送の多重化方式としてＭＭＴを用いた場合、送信部３３は、Video_Component_Descriptorを、ＭＭＴ−ＳＩメッセージのＰＡメッセージに格納されているＭＰＴ（MMT Package Table）に含めて送信する。
【００８２】
図１３は、メタ情報生成部３１によって生成されるVideo_Component_Desciptorの一例を示す図である。
【００８３】
図１３に示すように、メタ情報生成部３１によって生成されるVideo_Component_Desciptorには、テキストキャラクターtext_charが含まれる。メタ情報生成部３１が生成するtext_charには、
・本コンテンツの
（Ａ−１）  コンテンツ全体の感覚輝度値
（Ａ−２）  各時間領域毎の感覚輝度値（例：１０分毎、シーン毎、全体１０分割の１つ）
（Ａ−３）  コンテンツの先頭１分の感覚輝度値
（Ａ−４）  コンテンツの最後の１分の感覚輝度値
の少なくとも何れか、及び、
・次コンテンツの
（Ｂ−１）  コンテンツ全体の感覚輝度値
（Ｂ−２）  コンテンツの先頭１分の感覚輝度値
の少なくとも何れかが含まれる。
【００８４】
また、メタ情報生成部３１が生成するtext_charには、ミュート映像の輝度の設定の仕方を指定するミュート状態フラグを含める構成としてもよい。ここで、ミュート状態フラグは、ミュート映像の輝度として、
（ａ）ミュート前のコンテンツの輝度に合わせる
（ｂ）ミュート前後のコンテンツの輝度の平均を取る
（ｃ）ミュート前のコンテンツの輝度からミュート後のコンテンツの輝度まで時系列に沿って変化させる
の何れかを指定するためのフラグである。ミュート状態フラグは、映像処理装置２０の備えるミュート映像生成部２４によって参照され、当該ミュート状態フラグによって指定される方法を用いて、ミュート映像の輝度が設定される。
【００８５】
なお、Video_Component_Desciptorのtext_charに含まれる各情報は、より具体的には、例えば、以下の記述子、及びバイト長によって表現される。ここで、（１−１’）は上述の（Ａ−１）に示した情報を表現するための記述子、及びバイト長である（その他も同様）。
・本コンテンツについて
（Ａ−１’）Total_CPL : 2byte (0~65535 cd/m2)
（Ａ−２’）for (j=0;j<M;j++) { Scene_CPL[j] : 2byte }
（Ａ−３’）Head_part_CPL : 2byte
（Ａ−４’）Last_part_CPL : 2byte
・次コンテンツについて
（Ｂ−１’）Total_NextCPL : 2byte
（Ｂ−２’）Head_part_NextCPL : 2byte
・ミュート状態フラグとして
Mute_Image_Flag : 1byte (1 or 2 or 3)
なお、Mute_Image_Flagに記載の(1 or 2 or 3)において、１、２、および３は、それぞれ上述した（ａ）、（ｂ）、および（ｃ）に対応する。
【００８６】
〔実施形態４〕
本実施形態４に係る映像処理装置２０を備えた表示装置１について、図１４を参照して以下に説明する。以下の説明では、上記実施形態において既に説明した事項については説明を省略し、上記実施形態とは異なる点について説明を行う。
【００８７】
本実施形態に係る表示装置１は、上記実施形態３に係る表示装置１が備えるミュート映像生成部２４ｂに代えて、ミュート映像生成部２４ｃを備えている。本実施形態に係る表示装置１は、上記実施形態３で説明された映像信号を受信し、映像処理装置２０は、当該映像信号に基づきミュート映像を生成する。
【００８８】
図１４は、表示映像の輝度値の経時変化を示している。なお、図１４（ａ）は、従来の映像処理装置における輝度値の経時変化を示しており、図１４（ｂ）は、本実施形態に係る映像処理装置２０における輝度値の経時変化を示している。図１４（ｂ）に示すように、本実施形態に係る映像処理装置２０では、ミュート映像の輝度値を、ミュート映像より時間的に前に表示される表示映像（第１の表示映像）の輝度値からミュート映像よりも後に表示される表示映像（第２の表示映像）の輝度値へと徐々に変化させる。
【００８９】
本実施形態に係るミュート映像生成部２４ｃには、実施形態３と同様に、算出部２３から現時点のコンテンツの映像特徴量が入力され、取得部２２ｂから次コンテンツの映像特徴量が入力される。ミュート映像生成部２４ｃは、ミュート映像の輝度値を、時系列に沿って、現時点のコンテンツの映像特徴量から、次コンテンツの映像特徴量へと変化するように設定し、ミュート映像を生成する。
【００９０】
このように、本実施形態に係る映像処理装置２０では、ミュート映像の輝度値が、ミュート映像の前に表示される表示映像の輝度値からミュート映像の後に表示される表示映像の輝度値へと徐々に変化しており、輝度値の急激な変動を抑制する。これにより、輝度差によるユーザへの心理的負担を軽減することができる。
【００９１】
〔実施形態５〕
本実施形態５に係る映像処理装置２０を備えた表示装置１について、図１５を参照して以下に説明する。以下の説明では、上記実施形態において既に説明した事項については説明を省略し、上記実施形態とは異なる点について説明を行う。
【００９２】
本実施形態に係る表示装置１は、上記実施形態３に係る表示装置１が備える受信部１１ｂ、取得部２２ｂ、算出部２３及びミュート映像生成部２４ｂに代えて、受信部１１ｄ、取得部２２ｄ、算出部２３ｄ及びミュート映像生成部２４ｄを備えている。本実施形態に係る表示装置１は、上記実施形態３で説明された映像信号を受信しており、映像処理装置２０は、当該映像信号に基づきミュート映像を生成する。なお、本実施形態における映像信号には、現時点のコンテンツの最後の所定の期間内の感覚輝度値及び次コンテンツの先頭の所定の期間内の感覚輝度値が含まれる。
【００９３】
図１５は、表示映像の輝度値の経時変化を示している。なお、図１５（ａ）は、従来の映像処理装置における輝度値の経時変化を示しており、図１５（ｂ）は、本実施形態に係る映像処理装置２０における輝度値の経時変化を示している。図１５（ｂ）に示すように、本実施形態に係る映像処理装置２０では、ミュート映像の輝度値を、ミュート映像の前後のコンテンツの所定の期間内の映像特徴量に基づき設定する。ここで、ｔ１は、ミュート映像の前のコンテンツの末尾の所定の期間を示しており、ｔ２は、ミュート映像の後のコンテンツの冒頭の所定の期間を示している。
【００９４】
本実施形態に係る算出部２３ｄは、現時点のコンテンツの映像特徴量を算出する際に、ミュート映像が表示されるタイミングより前の表示映像の所定の期間内の映像特徴量を算出する。算出部２３ｄは、当該映像特徴量をミュート映像生成部２４ｄへ出力する。ここで、より具体的には「ミュート映像が表示されるタイミングより前の」とは「ミュート映像の直前の」ことである。「所定の期間」は、例えば、１秒、３秒、１０秒のように適宜設定することができる。また、映像信号に含まれるコンテンツに応じて所定の期間を設定してもよい。
【００９５】
受信部１１ｄは、当該映像信号を取得部２２へ出力する。取得部２２ｄは、次コンテンツの映像特徴量として、次コンテンツの所定の期間における映像特徴量を取得し、ミュート映像生成部２４ｄへ出力する。
【００９６】
ミュート映像生成部２４ｄは、
（５−１）算出部２３ｄから入力された現時点のコンテンツ（第１の表示映像）の所定の期間内の映像特徴量と、
（５−２）取得部２２ｄから入力された次コンテンツ（第２の表示映像）の所定の期間内の映像特徴量と、
に応じた値になるように、ミュート映像の輝度値として設定する。ここで、ミュート映像の輝度値を設定する際に、上記（５−１）の映像特徴量のみを上述した所定の期間内の表示映像の映像特徴量へ代えて設定してもよく、上記（５−１）及び（５−２）の映像特徴量の両方を、上述した所定の期間内の表示映像の映像特徴量へ代えて設定してもよい。
【００９７】
ミュート映像生成部２４ｄは、より具体的には、実施形態１〜４において説明した「映像特徴量」に代えて、上述した所定の期間内の表示映像の映像特徴量を用いることにより、実施形態１〜４と同様の処理でミュート映像の輝度値を設定する。
【００９８】
このように、本実施形態に係る映像処理装置２０では、ミュート映像の近傍の映像特徴量に基づき、ミュート映像の輝度値を設定することができるため、ミュート映像とミュート映像の前後に表示される映像データとの輝度値の差異をより低減することができる。これにより、輝度差によるユーザへの心理的負担を軽減することができる。
【００９９】
〔実施形態６〕
本実施形態６に係る映像処理装置２０を備えた表示装置１について、以下に説明する。以下の説明では、上記実施形態において既に説明した事項については説明を省略し、上記実施形態とは異なる点について説明を行う。本実施形態に係る表示装置１は、上記実施形態５に係る表示装置１が備える受信部１１ｄ、取得部２２ｄ及びミュート映像生成部２４ｄに代えて、受信部１１ｅ、取得部２２ｅ及びミュート映像生成部２４ｅを備えている。なお、本実施形態に係る表示装置１は、上記実施形態において説明された算出部２３に対応する構成は備えていない。
【０１００】
本実施形態に係る映像処理装置２０は、上記実施形態５で説明された映像信号を受信しており、映像処理装置２０は、当該映像信号に基づきミュート映像を生成する。
【０１０１】
受信部１１ｅは、当該映像信号を取得部２２ｅへ出力する。取得部２２ｅは、現時点のコンテンツ（第１の表示映像）の映像データをミュート映像挿入部２５に出力し、現時点のコンテンツ及び次コンテンツ（第２の表示映像）の映像特徴量をミュート映像生成部２４ｅに出力する。
【０１０２】
ミュート映像生成部２４ｅは、より具体的には、実施形態１〜４において説明した「映像特徴量」に代えて、上述した所定の期間内の表示映像の映像特徴量を用いることにより、実施形態３〜５と同様の処理でミュート映像の輝度値を設定する。
【０１０３】
このように、本実施形態に係る映像処理装置２０では、ミュート映像とミュート映像の前後に表示される映像データとの輝度値の差異をより低減することができる。また、他の実施形態にて説明した算出部２３を備えていないので、映像処理装置２０を小型化することができる。
【０１０４】
〔実施形態７〕
本実施形態６に係る映像処理装置２０を備えた表示装置１について、図１６を参照して以下に説明する。図１６は、本実施形態６に係る映像処理装置２０の構成を示すブロック図である。図１６に示すように、本実施形態６に係る表示装置１は、上記実施形態６に係る表示装置１が備える受信部１１ｅ、取得部２２ｅ、ミュート映像生成部２４ｅ及び操作受付部２６に代えて、受信部１１ｆ、取得部２２ｆ、ミュート映像生成部２４ｆ及び操作受付部２６ｆを備えている。なお、以下の説明では、上記実施形態において既に説明した事項については説明を省略し、上記実施形態とは異なる点について説明を行う。
【０１０５】
本実施形態では、送信装置３０は、映像信号のメタ情報にＥＩＴ（Event Information Table、イベント情報テーブル）を含めて映像信号を受信部１１ｆへ送信する。当該ＥＩＴには１又は複数のコンテンツの映像特徴量が含まれる。送信装置３０の具体的説明は後述する。
【０１０６】
受信部１１ｆは受信した当該映像信号を取得部２２ｆに出力する。操作受付部２６ｆは、実施形態１で説明した操作に加えて、チャンネルの切り替え操作を受け付ける。操作受付部２６ｆは、図１６に示すように、当該切り替え操作を、取得部２２ｆ、ミュート映像生成部２４ｆ、ミュート映像挿入部２５へ出力する。
【０１０７】
取得部２２ｆは、受信部１１ｆから入力された映像信号のうち、１又は複数のコンテンツの感覚輝度値を当該映像信号のメタ情報であるイベント情報テーブルから取得する。取得部２２ｆは、ＥＩＴに含まれる映像特徴量に基づき、切り替え後のコンテンツの映像特徴量をミュート映像生成部２４ｅに出力する。ここで、「切り替え後のコンテンツ」とは、切り替え操作後に表示されるコンテンツである。ミュート映像生成部２４ｆは、
（７−１）算出部２３ｄから入力された現時点のコンテンツの映像特徴量と、
（７−２）取得部２２ｆから入力された切り替え後のコンテンツの映像特徴量と、
に応じた値になるように、ミュート映像の輝度値を設定し、当該ミュート映像を生成する。ミュート映像生成部２４ｆは、当該ミュート映像をミュート映像挿入部２５へ出力する。なお、ミュート映像生成部２４ｆは、現時点のコンテンツの映像特徴量を取得部２２ｆから入力される構成であってもよい。
【０１０８】
ミュート映像生成部２４ｆは、より具体的には、実施形態３〜５において説明した「映像特徴量」に代えて、上述したＥＩＴに含まれる映像特徴量を用いることにより、実施形態３〜５と同様の処理でミュート映像の輝度値を設定することができる。
【０１０９】
上記切り替え操作によって、本実施形態に係る表示装置１は、チャンネル切り替え時にミュート映像を挿入できる。これにより、複数の放送波をまたいで、ミュート映像の輝度値を設定することができ、当該ミュート映像が挿入された表示映像を表示することができる。
【０１１０】
（送信装置）
図１７を参照して、送信装置３０の感覚輝度情報の送信処理の一例について説明する。本例では、メタ情報生成部３１は、感覚輝度情報を含むＥＩＴを生成し、送信部３３は、当該ＥＩＴを、例えば映像信号の一部として送信する。ここで、ＥＩＴとは、例えば、現状の地上デジタル放送におけるＴＳ（Transport Stream）に含まれるＰＳＩ／ＳＩ（Program Specific Information / Service Information）の一例であり、コンテンツの内容に関する情報が記述されたデータ群である。なお、次世代の超高精細度テレビジョン放送においては、ＭＨ−ＥＩＴ(MPEG-H Event Information Table)と呼ばれるＥＩＴが用いられる。本明細書中における「ＥＩＴ」との文言には、「現行放送のＥＩＴ」及び「ＭＨ−ＥＩＴ」の双方が含まれるものとする。
【０１１１】
図１７（ａ）は、メタ情報生成部３１によって生成されるＥＩＴの一例を示す図である。図１７（ａ）に示すＥＩＴにおいて記述子Ｄ１には、コンテンツ毎の感覚輝度情報が含まれる。
【０１１２】
図１７（ｂ）は、図１７（ａ）に示すＥＩＴにおける感覚輝度情報を含む記述子Ｄ１の他の一例を示す図である。図１７（ｂ）に示す例においては、記述子Ｄ１内のdescriptor_tagの値として、拡張形式イベント記述子であることを示す「0x4E」が記述されている。拡張形式イベント記述子には、コンテンツに関する詳細な情報がテキストとして記述される。そのため、図１７（ｂ）に示すように、コンテンツ毎の感覚輝度情報を示すテキストを、記述子Ｄ１内のText_charに記述する構成としてもよい。図１７（ｂ）に示す例においては、感覚輝度情報を示すテキスト「感覚輝度２００ｎｉｔ」が記述されており、表示装置１が備えるミュート映像生成部２４は、当該テキストを解析することにより感覚輝度情報を取得する。なお、Text_charに記述されているテキストに、例えば、「＃」などのような予め定められたハッシュタグを付して記述する構成とすれば、当該テキストが感覚輝度情報を示すテキストであるか否かの判定を容易にすることができる。
【０１１３】
また、メタ情報生成部３１は、より詳細な感覚輝度情報として、記述子Ｄ１内のText_charに、各コンテンツの
（１）  コンテンツ全体の感覚輝度値
（２）  各時間領域毎の感覚輝度値（例：１０分毎、シーン毎、全体１０分割の１つ）
（３）  コンテンツの先頭１分の感覚輝度値
（４）  コンテンツの最後の１分の感覚輝度値
の少なくとも何れかを含める構成としてもよい。
【０１１４】
図１７（ｃ）は、ＥＩＴを受信した映像処理装置２０が生成する電子番組表（ＥＰＧ）の一例を示す図である。図１７（ｃ）に示すように、映像処理装置２０が生成する電子番組表は、コンテンツのチャンネルを示す軸と、時間を示す軸とによって張られる二次元面に、各コンテンツを示すセルが配置されている。図１７（ｃ）に示すように、電子番組表のセルの何れかをフォーカスする操作が行われると、当該セルに対応したコンテンツに関する情報がクローズアップされて表示される。コンテンツに関する情報には、例えば、番組名、放送時間、出演者、及び当該コンテンツの内容を示すテキストなどに加え、各コンテンツの感覚輝度情報が含まれる。より具体的には、図１７（ｃ）に示すように、各コンテンツに関する情報として、番組名、放送時間、出演者、及び当該コンテンツの内容を示すテキストに加え、図１７（ｃ）のＥ１に示すように、当該コンテンツの感覚輝度情報を示すテキストである「感覚輝度２００ｎｉｔ」がさらに提示されている。
【０１１５】
〔実施形態８〕
本実施形態８に係る映像処理装置２０を備えた表示装置１について、以下に説明する。以下の説明では、上記実施形態において既に説明した事項については説明を省略し、上記実施形態とは異なる点について説明を行う。
【０１１６】
本実施形態に係る表示装置１は、表示装置１が備える算出部２３及びミュート映像生成部２４に代えて、算出部２３ｇ及びミュート映像生成部２４ｇを備えている。
【０１１７】
算出部２３ｇは、取得部２２から入力された映像データの平均色度、最大色度、色度値の中央値等の色域情報のうち少なくとも何れかを参照して、映像データに含まれる各コンテンツにおける感覚色度値を算出する。なお、当該色域情報は、上記実施形態において説明したVideo_Component_Desciptor又はＥＩＴへ、輝度情報に加えて埋め込む構成であってもよい。
【０１１８】
算出部２３ｇは、算出された感覚色度値をミュート映像生成部２４ｇに出力する。ミュート映像生成部２４ｇは、入力された感覚色度値に応じた値となるように、ミュート映像の色度値を設定し、当該色度値を有するミュート映像を生成する。
【０１１９】
ミュート映像生成部２４ｇが設定する色域としては、ITU-R BT.2020又はITU-R BT.709に準拠した色域を用いればよい。
【０１２０】
このように本実施形態は、上記実施形態において、ミュート映像の輝度値に代えてミュート映像の色度を設定し、ミュート映像を生成することができる。
【０１２１】
図１８は、表示映像の色度値の経時変化を示している。なお、図１８（ａ）は従来の映像処理装置における色度値の経時変化を示しており、図１８（ｂ）、（ｃ）及び（ｄ）は、本実施形態に係る映像処理装置２０における色度値の経時変化の一例を示している。なお、図１８では色度値の経時変化の一例として、現時点のコンテンツの色を緑、次コンテンツの色を青とした際の経時変化を示している。
【０１２２】
従来の映像処理装置では、色度及び輝度の値が０となるため、図１８（ａ）に示すように、ミュート映像の色は黒となる。また、ミュート映像とミュート映像の前後のコンテンツとの色度値の差異が大きくなる。
【０１２３】
図１８（ｂ）に示すように、本実施形態に係る映像処理装置２０の一例では、ミュート映像の色をシアンとする。即ち本例では、ミュート映像の色度値を、ミュート映像の前後のコンテンツの色度値の平均値とする。これにより、ミュート映像とミュート映像の前後のコンテンツとの色度値の差異が低減することができる。
【０１２４】
図１８（ｃ）に示すように、本実施形態に係る映像処理装置２０の一例では、ミュート映像の色を緑から青へと徐々に変化させる。すなわち、本例では、ミュート映像の色度値を、ミュート映像の前に表示される表示映像（第１の表示映像）の色度値からミュート映像の後に表示される表示映像（第２の表示映像）の色度値へと徐々に変化させる。これにより、色度値の急激な変動を抑制することができる。
【０１２５】
図１８（ｄ）に示すように、本実施形態に係る映像処理装置２０の一例では、ミュート映像の色を緑からグレーへ徐々に変化させ、その後グレーから青へ徐々に変化させる。すなわち、本例では、ミュート映像の色度値を、ミュート映像の前に表示される表示映像の色度値から０に徐々に変化させ、その後０からミュート映像の後に表示される表示映像の色度値へと徐々に変化させる。これにより、色度値の急激な変動を抑制する際に、ミュート映像前後のコンテンツの色による影響を軽減することができる。
【０１２６】
このように、本実施形態に係る映像処理装置２０は、色度差によるユーザへの心理的負担を軽減することができる。
【０１２７】
〔ソフトウェアによる実現例〕
映像処理装置２０の制御ブロック（特に取得部２２、算出部２３、ミュート映像生成部２４及びミュート映像挿入部２５）は、集積回路（ＩＣチップ）等に形成された論理回路（ハードウェア）によって実現してもよいし、ＣＰＵ（Central Processing Unit）を用いてソフトウェアによって実現してもよい。
【０１２８】
後者の場合、映像処理装置２０は、各機能を実現するソフトウェアであるプログラムの命令を実行するＣＰＵ、上記プログラム及び各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０１２９】
なお、上記実施形態に係る表示装置１は、ミュート映像を生成する際に、上記実施形態におけるミュート映像生成処理のうち何れを実施するかを、ユーザが操作受付部２６に対して入力することによって適宜選択することができる。
【０１３０】
〔付記事項〕
本明細書において、「算出」とは、導出、演算、計算、誘導等を含む。
【０１３１】
また、本明細書において、「生成」とは、作成、作製、作出、創成、創造等を含む。
【０１３２】
また、本明細書において、「挿入」とは、導入、挟み込む、差し込む、組み込む等を含む。
【０１３３】
また、本明細書における「感覚輝度値」とは、視覚輝度、視覚補正輝度、感性輝度、官能輝度等を含む。
【０１３４】
〔まとめ〕
本発明の態様１に係る映像表示装置１は、表示映像に係る映像特徴量を算出する算出部２３と、第１の表示映像の後にミュート映像を表示するミュート映像表示部と、を備え前記ミュート映像の輝度は、前記第１の表示映像に係る映像特徴量の値に応じた輝度である。
【０１３５】
前記構成によれば、ミュート映像の輝度値を、ミュート映像よりも時間的に前に表示される映像データの感覚輝度値に対して所定の範囲の値とするため、ミュート映像とミュート映像の前に表示される映像データとの輝度値の差異を低減することができる。
【０１３６】
本発明の態様２に係る映像表示装置１は、前記態様１において、前記ミュート映像表示部は、第２の表示映像の前に前記ミュート映像を表示し、前記映像表示装置は、前記表示映像に係るメタ情報から、前記第２の表示映像に係る映像特徴量を取得する取得部２２を備え、前記ミュート映像の輝度は、前記第１の表示映像及び前記第２の表示映像に係る映像特徴量の値に応じた輝度である。
【０１３７】
前記構成によれば、ミュート映像とミュート映像の前に表示される映像データとの輝度値の差異を低減するだけでなく、ミュート映像とミュート映像の後に表示される映像データとの輝度値の際を低減することができる。
【０１３８】
本発明の態様３に係る映像表示装置１は、前記態様１または２の態様において、前記算出部２３は、前記表示映像のうち、所定の期間内の映像特徴量を算出し、前記ミュート映像の輝度は、前記第１の表示映像の所定期間内の映像特徴量の値及び前記第２の表示映像の所定期間内の映像特徴量の値に応じた輝度である。
【０１３９】
前記構成によれば、ミュート映像の近傍の感覚輝度値に基づき、ミュート映像の輝度値を設定することができるため、ミュート映像とミュート映像の前後に表示される映像データとの輝度値の差異をより低減することができる。
【０１４０】
本発明の態様４に係る映像表示装置１は、前記態様１から３のいずれかの態様において、前記映像特徴量が、感覚輝度値である。
【０１４１】
本発明の態様５に係る映像表示装置１は、前記態様４において、前記算出部２３は、前記感覚輝度値を、前記映像信号の平均輝度、最大輝度、輝度値の中央値、及びＭＡＸＦＡＬＬの少なくとも何れかを参照して算出する。
【０１４２】
本発明の態様６に係る映像表示装置１は、前記態様４または５において、前記算出部２３は、前記表示映像のうち、平均輝度が第１の閾値以下の画面と、平均輝度が第２の閾値以上の画面と、のうち少なくともいずれか一方を除外し、前記感覚輝度値を算出し、当該第１の閾値は、黒画面における閾値であり、当該第２の閾値は、白画面における閾値である。
【０１４３】
本発明の態様７に係る映像表示装置１は、表示映像に係るメタ情報から１又は複数のコンテンツの映像特徴量を取得する取得部２２と、第１の表示映像の後であって第２の表示映像の前にミュート映像を表示するミュート映像表示部と、を備え、前記ミュート映像の輝度は、前記第１の表示映像及び前記第２の表示映像に係る映像特徴量の値に応じた輝度である。
【０１４４】
前記構成によれば、ミュート映像とミュート映像の前後に表示される映像データとの輝度値の差異をより低減することができる。また、算出部２３を備えなくてもよく、映像表示装置１を小型化することができる。
【０１４５】
本発明の態様８に係る映像表示装置１は、前記態様７の態様において、前記取得部２２は、前記第１の表示映像の所定期間内の映像特徴量、及び前記第２の表示映像の所定期間内の映像特徴量を取得し、前記ミュート映像の輝度は、前記第１の表示映像の所定期間内の映像特徴量の値及び前記第２の表示映像の所定期間内の映像特徴量の値に応じた輝度である。
【０１４６】
前記構成によれば、ミュート映像の近傍の映像特徴量に基づき、ミュート映像の輝度値を設定することができるため、ミュート映像とミュート映像の前後に表示される映像データとの輝度値の差異をより低減することができる。
【０１４７】
本発明の態様９に係る映像表示装置１は、前記態様７または８の態様において、前記取得部２２は、１又は複数のコンテンツの映像特徴量を前記表示映像に係るメタ情報であるＭＭＴパッケージテーブルに含まれる映像コンポーネント記述子から取得する。
【０１４８】
本発明の態様１０に係る映像表示装置１は、前記態様７または８の態様において、前記取得部２２は、１又は複数のコンテンツの映像特徴量を前記表示映像に係るメタ情報であるイベント情報テーブルから取得する。
【０１４９】
本発明の態様１１のテレビジョン受像機は、前記態様１から１０のいずれかの態様の映像表示装置１を備えている。よって、前記態様１から１０の映像表示装置１と同様の作用効果を奏する。
【０１５０】
本発明の態様１２に係る送信装置３０は、１又は複数のコンテンツの映像データと、前記１又は複数のコンテンツの感覚輝度値を示す感覚輝度情報とを送信する送信部を備えている。
【０１５１】
前記送信部３３は、前記感覚輝度情報を、ＭＭＴパッケージテーブルに含まれる映像コンポーネント記述子に含めて送信してもよく、イベント情報テーブルに含めて送信してもよい。
【０１５２】
前記構成によれば、送信装置３０は、感覚輝度値が埋め込まれた映像信号を送信するため、表示装置１における、処理を簡略化することができる。
【０１５３】
また、本発明の態様１から１０に係る映像表示装置１は、コンピュータによって実現してもよく、この場合には、コンピュータを前記映像表示装置１が備える各部（ソフトウェア要素）として動作させることにより前記映像表示装置１をコンピュータにて実現させる映像表示装置１の制御プログラム、及びそれを記録したコンピュータ読み取り可能な記録媒体も、本発明の範疇に入る。
【０１５４】
本発明の態様１７に係る映像表示装置１は、第１の表示映像の後に表示する前記ミュート映像の輝度が、前記第１の表示映像に係る映像特徴量に応じた値である。
【０１５５】
前記構成によれば、ミュート映像の輝度値を、ミュート映像よりも時間的に前に表示される映像データの感覚輝度値に対して所定の範囲の値とするため、ミュート映像とミュート映像の前に表示される映像データとの輝度値の差異を低減することができる。
【０１５６】
本発明の態様１８に係る映像表示装置１は、前記態様１７において、第２の表示映像の前に前記ミュート映像を表示し、前記ミュート映像の輝度が、前記第１の表示映像の映像特徴量の値、及び前記表示映像に係るメタ情報から取得した前記第２の表示映像の映像特徴量の値に応じた輝度である。
【０１５７】
前記構成によれば、ミュート映像とミュート映像の前に表示される映像データとの輝度値の差異を低減するだけでなく、ミュート映像とミュート映像の後に表示される映像データとの輝度値の際を低減することができる。
【０１５８】
本発明の態様１９に係る映像表示装置１は、前記態様１７または１８の態様において、前記表示映像のうち、所定の期間内の映像特徴量を算出し、前記ミュート映像の輝度は、前記第１の表示映像の所定期間内の映像特徴量の値及び前記第２の表示映像の所定期間内の映像特徴量の値に応じた輝度である。
【０１５９】
前記構成によれば、ミュート映像の近傍の感覚輝度値に基づき、ミュート映像の輝度値を設定することができるため、ミュート映像とミュート映像の前後に表示される映像データとの輝度値の差異をより低減することができる。
【０１６０】
本発明の態様２０に係る映像表示装置１は、前記態様１７から１９のいずれかの態様において、前記映像特徴量が、感覚輝度値である。
【０１６１】
本発明の態様２１に係る映像表示装置１は、前記態様２０において、前記感覚輝度値を、前記表示映像の平均輝度、最大輝度、輝度値の中央値、及びＭＡＸＦＡＬＬの少なくとも何れかを参照して算出する。
【０１６２】
本発明の態様２２に係る映像表示装置１は、前記態様２０または２１において、前記表示映像のうち、平均輝度が第１の閾値以下の画面と、平均輝度が第２の閾値以上の画面と、のうち少なくともいずれか一方を除外して、前記感覚輝度値を算出する。
【０１６３】
本発明の態様２３に係る映像表示装置１は、第１の表示映像の後、及び第２の表示映像の前に表示する前記ミュート映像の輝度が、前記表示映像に係るメタ情報から取得した第１の表示映像及び第２の表示映像の映像特徴量の値に応じた輝度である。
【０１６４】
前記構成によれば、ミュート映像とミュート映像の前後に表示される映像データとの輝度値の差異をより低減することができる。
【０１６５】
本発明の態様２４に係る映像表示装置１は、前記態様２３の態様において、前記第１の表示映像の所定期間内の映像特徴量、及び前記第２の表示映像の所定期間内の映像特徴量を取得し、前記ミュート映像の輝度は、前記第１の表示映像の所定期間内の映像特徴量の値及び前記第２の表示映像の所定期間内の映像特徴量の値に応じた輝度である。
【０１６６】
本発明の態様２５に係る映像表示装置１は、前記態様２３または２４の態様において、１又は複数のコンテンツの映像特徴量を前記表示映像に係るメタ情報であるＭＭＴパッケージテーブルに含まれる映像コンポーネント記述子から取得する。
【０１６７】
本発明の態様２６に係る映像表示装置１は、前記態様２３または２４の態様において、１又は複数のコンテンツの映像特徴量を前記表示映像に係るメタ情報であるイベント情報テーブルから取得する。
【０１６８】
本発明の態様２７のテレビジョン受像機は、前記態様１７から２６のいずれかの態様の映像表示装置１を備えている。よって、前記態様１７から２６の映像表示装置１と同様の作用効果を奏する。
【０１６９】
本発明の態様２８に係る送信装置３０は、１又は複数のコンテンツの映像データと、前記１又は複数のコンテンツの感覚輝度値を示す感覚輝度情報とを送信する。
【０１７０】
また送信装置３０は、前記感覚輝度情報を、ＭＭＴパッケージテーブルに含まれる映像コンポーネント記述子に含めて送信してもよく、イベント情報テーブルに含めて送信してもよい。
【０１７１】
前記構成によれば、送信装置３０は、感覚輝度値が埋め込まれた映像信号を送信するため、表示装置１における、処理を簡略化することができる。
【０１７２】
また、本発明の態様１７から２６に係る映像表示装置１は、コンピュータによって実現してもよく、この場合には、コンピュータを前記映像表示装置１が備える各部（ソフトウェア要素）として動作させることにより前記映像表示装置１をコンピュータにて実現させる映像表示装置１の制御プログラム、及びそれを記録したコンピュータ読み取り可能な記録媒体も、本発明の範疇に入る。
【０１７３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１７４】
１  表示装置（映像表示装置）
１０  表示パネル
１１  受信部
２１  映像制御部
２２  映像信号取得部（取得部）
２３  算出部
２４  ミュート映像生成部
２５  ミュート映像挿入部
２６  操作受付部
２７  パネル制御部
３０  送信装置
３１  メタ情報生成部
３２  エンコーダ
３３  送信部
４０  カメラ
【図１】
2018003643.tif 000003
【図２】
2018003643.tif 000004
【図３】
2018003643.tif 000005
【図４】
2018003643.tif 000006
【図５】
2018003643.tif 000007
【図６】
2018003643.tif 000008
【図７−１】
2018003643.tif 000009
【図７−２】
2018003643.tif 000010
【図８】
2018003643.tif 000011
【図９】
2018003643.tif 000012
【図１０】
2018003643.tif 000013
【図１１】
2018003643.tif 000014
【図１２】
2018003643.tif 000015
【図１３】
2018003643.tif 000016
【図１４】
2018003643.tif 000017
【図１５】
2018003643.tif 000018
【図１６】
2018003643.tif 000019
【図１７】
2018003643.tif 000020
【図１８】
2018003643.tif 000021
【手続補正書】
【提出日】平成30年8月14日(2018.8.14)
【手続補正１】
【補正対象書類名】特許請求の範囲
【補正対象項目名】全文
【補正方法】変更
【補正の内容】
【特許請求の範囲】
【請求項１】
表示映像に係る映像特徴量を算出する算出部と、
第１の表示映像の後であって、第２の表示映像の前にミュート映像を表示するミュート映像表示部と、
前記第２の表示映像に係る映像特徴量を取得する取得部と、
を備え
前記ミュート映像の輝度は、前記第１の表示映像に係る映像特徴量の値及び前記第２の表示映像に係る映像特徴量の値に応じた輝度であることを特徴とする映像表示装置。
【請求項２】
前記取得部は、前記表示映像に係るメタ情報から、前記第２の表示映像に係る映像特徴量を取得することを特徴とする請求項１に記載の映像表示装置。
【請求項３】
前記算出部は、前記表示映像のうち、所定の期間内の映像特徴量を算出し、
前記ミュート映像の輝度は、前記第１の表示映像の所定期間内の映像特徴量の値及び前記第２の表示映像の所定期間内の映像特徴量の値に応じた輝度であることを特徴とする請求項２に記載の映像表示装置。
【請求項４】
前記映像特徴量は、感覚輝度値であることを特徴とする請求項１から３の何れか１項に記載の映像表示装置。
【請求項５】
前記算出部は、前記感覚輝度値を、前記表示映像の平均輝度、最大輝度、輝度値の中央値、及びＭａｘＦＡＬＬの少なくとも何れかを参照して算出することを特徴とする請求項４に記載の映像表示装置。
【請求項６】
前記算出部は、前記表示映像のうち、
平均輝度が第１の閾値以下の画面と、
平均輝度が第２の閾値以上の画面と、
のうち少なくともいずれか一方を除外して、前記感覚輝度値を算出することを特徴とする請求項４または５に記載の映像表示装置。
【請求項７】
１又は複数のコンテンツの映像特徴量を取得する取得部と、
第１の表示映像の後であって第２の表示映像の前にミュート映像を表示するミュート映像表示部と、
を備え、
前記ミュート映像の輝度は、前記第１の表示映像に係る映像特徴量の値及び前記第２の表示映像に係る映像特徴量の値に応じた輝度であることを特徴とする映像表示装置。
【請求項８】
前記取得部は、前記第１の表示映像の所定期間内の映像特徴量、及び前記第２の表示映像の所定期間内の映像特徴量を取得し、
前記ミュート映像の輝度は、前記第１の表示映像の所定期間内の映像特徴量の値及び前記第２の表示映像の所定期間内の映像特徴量の値に応じた輝度である
ことを特徴とする請求項７に記載の映像表示装置。
【請求項９】
前記取得部は、１又は複数のコンテンツの映像特徴量を前記表示映像に係るメタ情報であるＭＭＴパッケージテーブルに含まれる映像コンポーネント記述子から取得することを特徴とする請求項７または８に記載の映像表示装置。
【請求項１０】
前記取得部は、１又は複数のコンテンツの映像特徴量を前記表示映像に係るメタ情報であるイベント情報テーブルから取得することを特徴とする請求項７または８に記載の映像表示装置。
【請求項１１】
請求項１から１０に記載の映像表示装置を備えていることを特徴とするテレビジョン受像機。
【請求項１２】
１又は複数のコンテンツの映像データと、前記１又は複数のコンテンツの感覚輝度値を示す感覚輝度情報とを送信する送信部を備えており、
前記感覚輝度値は、コンテンツの平均輝度値、輝度値の中央値、及びＭａｘＦＡＬＬの少なくとも何れかであることを特徴とする送信装置。
【請求項１３】
前記送信部は、前記感覚輝度情報を、ＭＭＴパッケージテーブルに含まれる映像コンポーネント記述子に含めて送信することを特徴とする請求項１２に記載の送信装置。
【請求項１４】
前記送信部は、前記感覚輝度情報を、イベント情報テーブルに含めて送信することを特徴とする請求項１２に記載の送信装置。
【請求項１５】
請求項１から６に記載の映像表示装置としてコンピュータを機能させるためのミュート映像表示プログラムであって、前記算出部及び前記ミュート映像表示部としてコンピュータを機能させるための制御プログラム。
【請求項１６】
請求項７から１０に記載の映像表示装置としてコンピュータを機能させるためのミュート映像表示プログラムであって、前記ミュート映像表示部としてコンピュータを機能させるための制御プログラム。
【請求項１７】
請求項１２から１４に記載の送信装置としてコンピュータを機能させるためのミュート映像表示プログラムであって、前記送信部としてコンピュータを機能させるための制御プログラム。
【請求項１８】
請求項１５から１７の何れか１項に記載の制御プログラムを記録したコンピュータ読み取り可能な記録媒体。
【請求項１９】
表示映像に係る映像特徴量を算出する算出ステップと、
第１の表示映像の後であって、第２の表示映像の前にミュート映像を表示するミュート映像表示ステップと、
前記第２の表示映像に係る映像特徴量を取得する取得ステップと、
を含み
前記ミュート映像の輝度は、前記第１の表示映像に係る映像特徴量の値及び前記第２の表示映像に係る映像特徴量の値に応じた輝度であることを特徴とする映像表示方法。
【請求項２０】
１又は複数のコンテンツの映像特徴量を取得する取得ステップと、
第１の表示映像の後であって第２の表示映像の前にミュート映像を表示するミュート映像表示ステップと、
を含み、
前記ミュート映像の輝度は、前記第１の表示映像に係る映像特徴量の値及び前記第２の表示映像に係る映像特徴量の値に応じた輝度であることを特徴とする映像表示方法。
【請求項２１】
１又は複数のコンテンツの映像データと、前記１又は複数のコンテンツの感覚輝度値を示す感覚輝度情報とを送信する送信ステップを含んでおり、
前記感覚輝度値は、コンテンツの平均輝度値、輝度値の中央値、及びＭａｘＦＡＬＬの少なくとも何れかであることを特徴とする送信方法。
【手続補正２】
【補正対象書類名】明細書
【補正対象項目名】００６９
【補正方法】変更
【補正の内容】
【００６９】
上述した輝度情報には、平均輝度、最大輝度、輝度値の中央値、ＭａｘＦＡＬＬ及びそれらから算出された次コンテンツ全体の感覚輝度値が含まれる。また、上述した輝度情報には、さらに、
・現時点のコンテンツ全体の感覚輝度値
・現時点のコンテンツの最後の所定の期間内の感覚輝度値
・次コンテンツの先頭の所定の期間内の感覚輝度値
の少なくとも何れかを含む構成としてもよい。ここで、「所定の期間」とは、特に限定されておらず、例えば、１分、２分または３分のように、適宜選択することができる。また、映像信号に含まれるコンテンツに応じて所定の期間を設定してもよい。
【手続補正３】
【補正対象書類名】明細書
【補正対象項目名】００７５
【補正方法】変更
【補正の内容】
【００７５】
このように、本実施形態に係る映像処理装置２０では、ミュート映像とミュート映像の前に表示される映像データとの輝度値の差異を低減するだけでなく、ミュート映像とミュート映像の後に表示される映像データとの輝度値の差異を低減することができる。これにより、輝度差によるユーザへの心理的負担を軽減することができる。
【手続補正４】
【補正対象書類名】明細書
【補正対象項目名】０１０４
【補正方法】変更
【補正の内容】
【０１０４】
〔実施形態７〕
本実施形態７に係る映像処理装置２０を備えた表示装置１について、図１６を参照して以下に説明する。図１６は、本実施形態７に係る映像処理装置２０の構成を示すブロック図である。図１６に示すように、本実施形態７に係る表示装置１は、上記実施形態６に係る表示装置１が備える受信部１１ｅ、取得部２２ｅ、ミュート映像生成部２４ｅ及び操作受付部２６に代えて、受信部１１ｆ、取得部２２ｆ、ミュート映像生成部２４ｆ及び操作受付部２６ｆを備えている。なお、以下の説明では、上記実施形態において既に説明した事項については説明を省略し、上記実施形態とは異なる点について説明を行う。
【手続補正５】
【補正対象書類名】明細書
【補正対象項目名】０１０７
【補正方法】変更
【補正の内容】
【０１０７】
取得部２２ｆは、受信部１１ｆから入力された映像信号のうち、１又は複数のコンテンツの感覚輝度値を当該映像信号のメタ情報であるイベント情報テーブルから取得する。取得部２２ｆは、ＥＩＴに含まれる映像特徴量に基づき、切り替え後のコンテンツの映像特徴量をミュート映像生成部２４ｆに出力する。ここで、「切り替え後のコンテンツ」とは、切り替え操作後に表示されるコンテンツである。ミュート映像生成部２４ｆは、
（７−１）算出部２３から入力された現時点のコンテンツの映像特徴量と、
（７−２）取得部２２ｆから入力された切り替え後のコンテンツの映像特徴量と、
に応じた値になるように、ミュート映像の輝度値を設定し、当該ミュート映像を生成する。ミュート映像生成部２４ｆは、当該ミュート映像をミュート映像挿入部２５へ出力する。なお、ミュート映像生成部２４ｆは、現時点のコンテンツの映像特徴量を取得部２２ｆから入力される構成であってもよい。
【手続補正６】
【補正対象書類名】明細書
【補正対象項目名】０１３７
【補正方法】変更
【補正の内容】
【０１３７】
前記構成によれば、ミュート映像とミュート映像の前に表示される映像データとの輝度値の差異を低減するだけでなく、ミュート映像とミュート映像の後に表示される映像データとの輝度値の差異を低減することができる。
【手続補正７】
【補正対象書類名】明細書
【補正対象項目名】０１４１
【補正方法】変更
【補正の内容】
【０１４１】
本発明の態様５に係る映像表示装置１は、前記態様４において、前記算出部２３は、前記感覚輝度値を、前記映像信号の平均輝度、最大輝度、輝度値の中央値、及びＭａｘＦＡＬＬの少なくとも何れかを参照して算出する。
【手続補正８】
【補正対象書類名】明細書
【補正対象項目名】０１５７
【補正方法】変更
【補正の内容】
【０１５７】
前記構成によれば、ミュート映像とミュート映像の前に表示される映像データとの輝度値の差異を低減するだけでなく、ミュート映像とミュート映像の後に表示される映像データとの輝度値の差異を低減することができる。
【手続補正９】
【補正対象書類名】明細書
【補正対象項目名】０１６１
【補正方法】変更
【補正の内容】
【０１６１】
本発明の態様２１に係る映像表示装置１は、前記態様２０において、前記感覚輝度値を、前記表示映像の平均輝度、最大輝度、輝度値の中央値、及びＭａｘＦＡＬＬの少なくとも何れかを参照して算出する。
【国際調査報告】
2018003643.tif 000022
2018003643.tif 000023